(57)【要約】      （修正有）【課題】防護柵用支柱の在庫の種類を低減できる構造を有する防護柵用支柱を提供する。【解決手段】支柱２の相対する一方のフランジ２１ａからなる側壁と他方のフランジ２１ｂからなる側壁とに横桟４を取付ける取付孔２２が対称に穿設されているため、傾斜した道路や橋梁に対して左右一対で設置される防護柵において、例えば左側に対応した防護柵用支柱２を製作して在庫しておけば、他方の側縁、右側に対しては支柱を１８０°反転させれば設置することができるため、在庫する防護柵用支柱２の種類を半減させることができる。【選択図】図３
2007247251.tif 000002
【特許請求の範囲】
【請求項１】
相対する一方の側壁と他方の側壁とに横桟を取付ける取付孔が対称に穿設されていることを特徴とする防護柵用支柱。
【請求項２】
前記取付孔を介して、横桟を支持する取付金具が支柱に取付けられると共に、支柱の側壁には前記取付孔に加えて取付金具を仮止めする止め孔が穿設されていることを特徴とする請求項１に記載の防護柵用支柱。
【発明の詳細な説明】
【技術分野】
【０００１】
本発明は、主に道路や橋梁の側縁に設置され、横桟が取付けられることで防護柵が形成される防護柵用支柱に関するものである。
【背景技術】
【０００２】
従来、支柱に横桟が取付けられて形成された防護柵については、例えば特許文献１の段落番号０００２に開示されているように、縦断勾配を呈する橋梁等の勾配のある場所に設置される防護柵においては、防護柵を構成する支柱を、勾配を有する地覆天端に鉛直状に立設し、支柱上端には、笠木の勾配に、予め設定された笠木受け台を形成し、勾配に合うように形成している。
【０００３】
【特許文献１】実開平７−４４１０４号公報（段落番号０００２）
【発明の開示】
【発明が解決しようとする課題】
【０００４】
しかしながら、特許文献１の段落番号０００２に開示された防護柵用支柱では、傾斜した地覆に埋設したアンカーボルトに支柱のアンカープレートを用いて設置するような場合には、支柱のアンカープレートを予め傾斜させて設けておく必要があり、勾配部分に用いる防護柵用支柱については、その勾配を綿密に実測し、その勾配に合致した支柱を各々製作する必要があり、また、道路や橋梁に対して左右一対で設置される防護柵の場合には、更に左右の勾配に対応した支柱を左右各々製作しなければならなかったため、支柱を予め作製して在庫するにしても、その種類が多数に及んでしまうものであった。
【０００５】
本発明は上記のような課題を解決するためになされたものであり、防護柵用支柱の在庫の種類を低減できる構造を有する防護柵用支柱を提供せんとするものである。
【課題を解決するための手段】
【０００６】
上記目的を達成するため、本発明は以下のような構成としている。すなわち、本発明に係る防護柵用支柱は、相対する一方の側壁と他方の側壁とに横桟を取付ける取付孔が対称に穿設されていることを特徴とするものである。
【発明の効果】
【０００７】
本発明に係る防護柵用支柱によれば、相対する一方の側壁と他方の側壁とに横桟を取付ける取付孔が対称に穿設されているため、道路や橋梁に対して左右一対で設置される防護柵において、一方の側縁、例えば左側に対応した防護柵用支柱を製作して在庫しておけば、他方の側縁、右側に対しては前記防護柵用支柱を１８０°反転させれば設置することができるため、在庫する防護柵用支柱の種類を半減させることができる。
【０００８】
また本発明において、取付孔を介して、横桟を支持する取付金具が支柱に取付けられると共に、支柱の側壁には前記取付孔に加えて取付金具を仮止めする止め孔が穿設されるようにしてもよい。かようにすれば、支柱の側壁に取付金具を仮止めし、重量物である横桟を一時的に取付金具に載置し、取付ボルトを用いて支柱と取付金具と横桟とを締着することができるので、施工する時の施工性を向上させることができる。
【発明を実施するための最良の形態】
【０００９】
本発明に係る最良の実施の形態について、図面に基づき以下に具体的に説明する。
図１は本発明に係る防護柵用支柱の実施の一形態を示すもので、（イ）は正面図、（ロ）は平面図、（ハ）は右側面図、（ニ）は左側面図、（ホ）は背面図であり、図２は本発明に係る防護柵用支柱を用いた防護柵の実施の一形態を示すもので、（イ）は右上がりに傾斜した地表面に設置した状態の正面図、（ロ）は右下がりに傾斜した地表面に設置した状態の正面図であり、図３は図２（イ）の一部を示す分解斜視図であり、図４は本発明に係る防護柵用支柱の実施の他の形態を示すもので、（イ）は正面図、（ロ）は平面図、（ハ）は右側面図、（ニ）は左側面図、（ホ）は背面図である。
【００１０】
１は矩形の平板状のベースであり、ベース１の上面に、断面Ｈ型のものからなる支柱２が立設され、防護柵用支柱が形成されている。傾斜した場所に設置される場合、傾斜角θで右上がりになされたベース１に対して、鉛直方向に支柱２が立設されている。また、断面Ｈ型の支柱２の相対する一方のフランジ２１ａからなる側壁と他方のフランジ２１ｂからなる側壁とに、取付金具３を介して横桟４を取付けるための取付孔２２が左右対称に一対で上下に三段にわたり穿設されている。かようにすれば、横桟４を取付ける際のボルト５締めを各フランジ２１ａ、２１ｂの裏面側から行える。
【００１１】
また、フランジ２１ａ、２１ｂの左右一対に穿設された取付孔２２、２２の間には、取付孔２２より小径の止め孔２３が穿設されている。この止め孔２３を穿設するため、断面Ｈ型の支柱２のフランジ２１ａ、２１ｂ間に設けられたウエブ２４には、止め孔２３を穿設する位置に対応して切り欠き２５が左右一対で三段にわたり設けられている。
【００１２】
また、ベース１の四隅には、地表面に固定するためのアンカーボルトを挿通するための上下方向に貫通されたアンカーボルト孔１１が、ベース１の中心に対して点対称に４個設けられている。
【００１３】
ベース１は、防護柵用支柱に用いるものであるから、強度の高い金属製のものとするのが好適であり、鉄鋼、ステンレス、アルミニウム等の金属材料を用いて形成するのが好ましい。支柱２については、汎用のＨ型鋼や、平板で形成したフランジ２１ａ、２１ｂとウエブ２４とを溶接等により一体化したものを好適に用いることができる。また支柱２はベース１と同様に、高い強度を得ることができる鉄鋼、ステンレス、アルミニウム等の金属材料を用いて形成するのが好ましく、より好適なのは鉄鋼である。そして、ベース１と支柱２を溶接等により一体化して、防護柵用支柱が作製される。更に、ベース１及び支柱２に鉄鋼を用いる場合には、亜鉛等のめっきや塗装等の表面処理を施して腐食防止を図っておくのが好ましい。
【００１４】
図２において、防護柵用支柱は上記の図１に示したものを用いており、まず（イ）は右上がりに傾斜した地表面に設置した状態であるが、支柱２のフランジ２１ａに取付けられた取付金具３に横桟４が取付けられ、横桟４が上下三段に亘って取付けられているものである。次に（ロ）は、（イ）と逆の角度で右下がりに傾斜した地表面に設置した状態であるが、（イ）で用いたものと同じ防護柵用支柱を１８０°反転させて、支柱２のフランジ２１ｂに取付金具３を介して横桟４を取付けることができる。従って、右上がりの傾斜と右下がりの傾斜に対して、同じ防護柵用支柱を用いて対応できるので、防護柵用支柱を在庫する場合、その種類を半減できるのである。尚、傾斜のない平坦な地表面に設置する場合においても、傾斜した地表面と同様に、道路や橋梁の一方の側縁に設置する防護柵用支柱を１８０°反転させて他方の側縁に設置することができるので、その在庫を半減することができる。
【００１５】
ここで、支柱２のフランジ２１ａに穿設された取付孔２２に横桟４が直接取付られてもよいが、図３に示すように、取付金具３を介して取付けられてよい。この場合、施工しやすいように、支柱２のフランジ２１ａに取付孔２２に加えて取付孔より小径の止め孔２３を穿設すると共に、取付金具３にも同様の小孔３１を穿設し、前記止め孔２３及び小孔３１にリベット６等を挿通し締着することにより、取付金具３を支柱２に仮止めできるようにしておくのが好ましい。また、取付金具３に穿設した小孔３１に代えてピン状の突起を止め孔２３に挿入して仮止めするようにしてもよい。
【００１６】
図４は本発明に係る防護柵用支柱の実施の他の形態を示すもので、（イ）は正面図、（ロ）は平面図、（ハ）は右側面図、（ニ）は左側面図、（ホ）は背面図である。図１に示す防護柵用支柱と相違するのは、支柱２のウエブ２２の下部が、下方に向かうにしたがって幅広になされている点である。係る形状となすことによって、防護柵用支柱の強度を向上させることができ、車両の衝突等の外力が防護柵用支柱にかかった場合に有効となり得る。
【００１７】
尚、本実施例において、アンカーボルト孔１１は４個、取付孔２３、取付金具３及び横桟４は三段設けるようにしているが、これに限定されるわけではなく、設置場所における防護柵の必要強度に応じて、各々適宜数量設けるようにすればよい。
【産業上の利用可能性】
【００１８】
本発明に係る防護柵用支柱は、相対する一方の側壁と他方の側壁とに横桟を取付ける取付孔が対称に穿設されているため、道路や橋梁に対して左右一対で設置される防護柵において、一方の側縁、例えば左側に対応した防護柵用支柱を製作して在庫しておけば、他方の側縁、右側に対しては前記防護柵用支柱を１８０°反転させれば設置することができるため、在庫する防護柵用支柱の種類を半減させることができ、又、在庫した防護柵用支柱を用いて防護柵を形成することで、防護柵完工までの期間を短縮することができ、納期面やコスト面での利点が大きい防護柵用支柱として好適に利用することができる。
【図面の簡単な説明】
【００１９】
【図１】本発明に係る防護柵用支柱の実施の一形態を示すもので、（イ）は正面図、（ロ）は平面図、（ハ）は右側面図、（ニ）は左側面図、（ホ）は背面図である。
【図２】本発明に係る防護柵用支柱を用いた防護柵の実施の一形態を示すもので、（イ）は右上がりに傾斜した地表面に設置した状態の正面図、（ロ）は右下がりに傾斜した地表面に設置した状態の正面図である。
【図３】図２（イ）の一部を示す分解斜視図である。
【図４】本発明に係る防護柵用支柱の実施の他の形態を示すもので、（イ）は正面図、（ロ）は平面図、（ハ）は右側面図、（ニ）は左側面図、（ホ）は背面図である。
【符号の説明】
【００２０】
１    ベース
１１  アンカーボルト孔
２    支柱
２１ａ、２１ｂ    フランジ
２２  取付孔
２３  止め孔
２４  ウエブ
２５  切り欠き
３    取付金具
３１  小孔
４    横桟
５    ボルト
６    リベット
【図１】
2007247251.tif 000003
【図２】
2007247251.tif 000004
【図３】
2007247251.tif 000005
【図４】
2007247251.tif 000006